(57)【要約】【課題】取り付けられた指針に応じて適した運針用駆動パルスを出力することができる電気式アナログ時計を提供する。【解決手段】指針の運針を行うモータと、モータの回転を制御するモータ駆動回路とを備え、指針が着脱可能に構成され、指針を交換することができる電気式アナログ時計であって、モータ駆動回路から出力する運針駆動パルスを交換された指針に適合した運針駆動パルスに設定する駆動パルス設定手段を備え、設定された運針駆動パルスによって指針の運針を行う。【選択図】図１
2010261780.tif 000002
【特許請求の範囲】
【請求項１】
指針の運針を行うモータと、前記モータの回転を制御するモータ駆動回路とを備え、前記指針が着脱可能に構成され、前記指針を交換することができる電気式アナログ時計であって、
前記モータ駆動回路から出力する運針駆動パルスを前記交換された指針に適合した運針駆動パルスに設定する駆動パルス設定手段を備えたことを特徴とするアナログ時計。
【請求項２】
前記指針の運針時において、前記モータの誘起電圧波形情報を取得する誘起電圧波形取得手段と、
前記誘起電圧波形取得手段により取得した誘起電圧波形情報を参照して、所定の検出時間内にて、設定された閾値より該誘起電圧が超えた場合において、該誘起電圧発生時刻が所定の検出範囲内であるか否かに基づいて、前記交換された指針に適合した運針駆動パルスが設定されているか否かを判定する適合判定手段と
をさらに備えたことを特徴とする請求項１に記載のアナログ時計。
【請求項３】
請求項１または２に記載のアナログ時計を備えることを特徴とする携帯情報機器。
【請求項４】
他の機器との間で情報通信を行う通信手段と、
前記電気式アナログ時計が備えるモータ駆動回路から出力する運針駆動パルスを交換された指針に適合した運針駆動パルスに設定する駆動パルス設定手段は、前記通信手段によって取得した運針駆動パルス情報に基づいて、前記運針駆動パルスの設定を行うことを特徴とする請求項３に記載の携帯情報機器。
【請求項５】
指針の運針を行うモータと、前記モータの回転を制御するモータ駆動回路とを備え、前記指針が着脱可能に構成され、前記指針を交換することができるアナログ時計における運針制御方法であって、
前記モータ駆動回路から出力する運針駆動パルスを前記交換された指針に適合した運針駆動パルスに設定する駆動パルス設定ステップを有し、前記駆動パルス設定ステップによって設定された運針駆動パルスによって指針の運針を行うことを特徴とする運針制御方法。
【請求項６】
前記指針の運針時において、前記モータの誘起電圧波形情報を取得する誘起電圧波形取得ステップと、
前記誘起電圧波形取得ステップにより取得した誘起電圧波形情報を参照して、所定の検出時間内にて、設定された閾値より該誘起電圧が超えた場合において、該誘起電圧発生時刻が所定の検出範囲内であるか否かに基づいて、前記交換された指針に適合した運針駆動パルスが設定されているか否かを判定する適合判定ステップと
をさらに有することを特徴とする請求項５に記載の運針制御方法。
【発明の詳細な説明】
【技術分野】
【０００１】
本発明は、電気式のアナログ時計（針式の機械時計でモータ等によって運針する時計）、電気式のアナログ時計を備えた携帯情報機器及び運針制御方法に関する。
【背景技術】
【０００２】
従来から、携帯情報機器には、情報通信以外にも様々な機能を持たせるために、通常の表示モジュールに加えて、筐体部に着脱可能なサブ表示モジュールを備えているものも開発されている（例えば、特許文献１参照）。これは、通話要求を検出してから、当該装置が通常の通話が可能な状態か、ハンズフリーの通話が可能な状態かを判別し、ハンズフリーの通話が可能な状態であると判別すると、着脱可能な表示手段の表示性能が映像データの表示が可能であるか否かを判別し、表示手段の表示性能に応じて、音声のみの通話と、音声及び映像による通話とを切り替えることができるものである。
【先行技術文献】
【特許文献】
【０００３】
【特許文献１】特開２００６−１０９１４９号公報
【発明の概要】
【発明が解決しようとする課題】
【０００４】
ところで、近年の携帯電話端末等の携帯情報機器は、機能が多様化してきており、携帯情報機器に備えられた時計を使用して時刻の確認を行う使用者も増加している。また、近年の携帯情報機器は、常に携帯するものであるため、使用者の好みに合わせるように外観のデザインが重要視されている。このような携帯情報機器にアナログ時計を備えるようにした場合、使用者の好みに合わせて、時計の指針を交換できるようにしたいという要求がある。
【０００５】
しかしながら、携帯情報機器に電気式のアナログ時計のモジュールを搭載し、使用者の好みに合わせて時計の指針を交換できるようにした場合、交換した新たな指針の運針に適した運針用の駆動パルスは針モーメントに応じて異なるため、駆動パルスのエネルギを小さくすると、エネルギ不足で運針遅れするか、あるいはパルスオフタイミングが悪い時に生じる脱調現象により運針遅れが生じてしまうという問題がある。また、針モーメントの大小に因らず確実に運針できるエネルギを大きくしたパルスを供給した場合は消費電流が大きくなってしまうという問題もある。携帯情報機器としての電池切れが生じても、アナログ時計モジュールだけは、時計としての機能を維持する必要があるため、供給エネルギは極力小さくした方が望ましい。また、通常のアナログ時計モジュールの運針用駆動パルスは、内部のＩＣ内に設定された駆動パルスが適用されて交換した針に応じて変更することはできないという問題がある。
【０００６】
本発明は、このような事情に鑑みてなされたもので、取り付けられた指針に応じて適した運針用駆動パルスを出力することができるアナログ時計、アナログ時計を備えた携帯情報機器及び運針制御方法を提供することを目的とする。
【課題を解決するための手段】
【０００７】
本発明は、指針の運針を行うモータと、前記モータの回転を制御するモータ駆動回路とを備え、前記指針が着脱可能に構成され、前記指針を交換することができる電気式アナログ時計であって、前記モータ駆動回路から出力する運針駆動パルスを前記交換された指針に適合した運針駆動パルスに設定する駆動パルス設定手段を備えたことを特徴とする。
【０００８】
本発明は、前記指針の運針時において、前記モータの誘起電圧波形情報を取得する誘起電圧波形取得手段と、前記誘起電圧波形取得手段により取得した誘起電圧波形情報を参照して、所定の検出時間内にて、設定された閾値より該誘起電圧が超えた場合において、該誘起電圧発生時刻が所定の検出範囲内であるか否かに基づいて、前記交換された指針に適合した運針駆動パルスが設定されているか否かを判定する適合判定手段とをさらに備えたことを特徴とする。
【０００９】
本発明は、請求項１または２に記載の電気式アナログ時計を備えることを特徴とする携帯情報機器である。
【００１０】
本発明は、他の機器との間で情報通信を行う通信手段と、前記電気式アナログ時計が備えるモータ駆動回路から出力する運針駆動パルスを交換された指針に適合した運針駆動パルスに設定する駆動パルス設定手段は、前記通信手段によって取得した運針駆動パルス情報に基づいて、前記運針駆動パルスの設定を行うことを特徴とする。
【００１１】
本発明は、指針の運針を行うモータと、前記モータの回転を制御するモータ駆動回路とを備え、前記指針が着脱可能に構成され、前記指針を交換することができる電気式アナログ時計における運針制御方法であって、前記モータ駆動回路から出力する運針駆動パルスを前記交換された指針に適合した運針駆動パルスに設定する駆動パルス設定ステップを有し、前記駆動パルス設定ステップによって設定された運針駆動パルスによって指針の運針を行うことを特徴とする。
【００１２】
本発明は、前記指針の運針時において、前記モータの誘起電圧波形情報を取得する誘起電圧波形取得ステップと、前記誘起電圧波形取得ステップにより取得した誘起電圧波形情報を参照して、所定の検出時間内にて、設定された閾値より該誘起電圧が超えた場合において、該誘起電圧発生時刻が所定の検出範囲内であるか否かに基づいて、前記交換された指針に適合した運針駆動パルスが設定されているか否かを判定する適合判定ステップとをさらに有することを特徴とする。
【発明の効果】
【００１３】
本発明によれば、取り付けられた指針に応じて適した運針用駆動パルスを出力することができるため、アナログ時計モジュールの針の形態やサイズに因らず、正確な時を刻むことが可能になるとともに、供給エネルギは極力小さくことができるため、低電力で時計としての機能を維持させることができるという効果が得られる。また、携帯情報機器のデザイン性の幅が広がり、商品性を高めることができるという効果も得られる。
【図面の簡単な説明】
【００１４】
【図１】本発明の第１の実施形態の構成を示すブロック図である。
【図２】本発明の第２の実施形態の構成を示すブロック図である。
【図３】本発明の第３の実施形態の構成を示すブロック図である。
【図４】新たに取り付けられた指針と設定された運針用駆動パルスの適合を判定する処理動作を示すフローチャートである。
【図５】指針装着時に所定の運針用駆動パルスを適用した場合の誘起電圧波形を示す説明図である。
【図６】指針装着時に所定の運針用駆動パルスを適用した場合の誘起電圧波形を示す説明図である。
【発明を実施するための形態】
【００１５】
＜第１の実施形態＞
以下、図面を参照して、本発明の第１の実施形態によるアナログ時計及びアナログ時計を備えた携帯情報機器を説明する。図１は同実施形態の構成を示すブロック図である。この図において、符号１は、電気式アナログ時計（針式の機械時計でモータ等によって運針する時計）で構成するアナログ時計部である。符号２は、アナログ時計部１に対して、着脱可能な指針であり、長針、短針、秒針から構成する。符号３は、携帯電話端末装置等の携帯情報機器であり、アナログ時計部１及び指針２が筐体の一部に埋め込まれており、使用者が時刻を確認することができるようになっている。
【００１６】
符号１１は、アナログ時計部１の処理動作を統括して指針２の運針を制御する指針駆動制御部である。符号１２は、指針駆動制御部１１から出力する運針用駆動パルスの情報に基づいて、運針用駆動パルスを出力するモータ駆動回路である。符号１３は、指針２を運針するためのモータであり、モータ駆動回路１２から出力する運針用駆動パルスに基づいて回転が制御される。符号１４は、モータの回転軸に接続された輪列（歯車の集合体）である。符号１５は、アナログ時計部１が動作するために必要な電力を供給する電源であり、電池等で構成する。符号１６は、水晶発振子を備え、運針タイミングの信号を出力する発信回路であり、秒針を運針するために、１秒毎に運針タイミング信号を出力する。符号１７は、指針２に応じた運針用パルスを出力するために、運針用駆動パルスの情報（駆動パルスのデューティ比等）を記憶する駆動パルス記憶部であり、複数の駆動パルスが記憶されている。符号１８は、現在取り付けられている指針２を識別することが可能な指針識別情報が記憶される指針情報記憶部である。
【００１７】
符号３１は、携帯情報機器３の処理動作を統括して制御する制御部である。符号３２は、テンキー等で構成するキー入力部である。符号３３は、キー入力部３２における操作に応じて、運針用駆動パルスの選択を行う駆動パルス選択部である。符号３４は、携帯情報機器３が動作するために必要な電力を供給する電源部であり、電池等から構成する。
【００１８】
次に、図１を参照して、指針２の運針を行う基本動作を説明する。指針２は、初期状態において、予め決められた指針２が取り付けられており、駆動パルス記憶部１７には、初期状態において、この指針２を識別するための指針識別情報と、運針用駆動パルスの情報とが関係付けられて記憶されている。また、指針情報記憶部１８には、現在取り付けられている指針２の指針識別情報が記憶されている。
【００１９】
まず、電源１５を取り替えた場合などに、動作がリセットされると、指針駆動制御部１１は、指針情報記憶部１８から現在取り付けられている指針２の指針識別情報を読み出し、読み出した指針識別情報に関係付けられている運針用駆動パルスの情報を駆動パルス記憶部１７から読み出す。そして、指針駆動制御部１１は、モータ駆動回路１２に対して、読み出した運針用駆動パルスの情報を出力する。これを受けて、モータ駆動回路１２は、指針駆動制御部から出力された運針用駆動パルスの情報に基づいて、モータ１３に対して出力するべき運針用駆動パルスの設定を行う。
【００２０】
次に、指針駆動制御部１１は、発振回路１６から出力される運針タイミング信号が出力される度に、モータ駆動回路１２に対して、運針用駆動パルスの出力指示を出力する。これを受けてモータ駆動回路１２は、先に設定された運針用駆動パルスをモータ１３に対して出力する。これによりモータ１３が回転して、指針２は運針することになる。
【００２１】
次に、図１を参照して、指針２を交換した場合の処理動作を説明する。まず、使用者は、現在取り付けられている指針２を取り外し、新たな指針２を取り付ける。そして、キー入力部３２から、駆動パルス選択を行う操作を行い、新たに取り付けた指針の指針識別情報を入力する。駆動パルス選択部３３は、この入力された指針識別情報を内部に保持するとともに、制御部３１に対して、この指針識別情報を含む運針用駆動パルス切替要求を出力する。この切替要求を受けた制御部３１は、この切替要求を指針駆動制御部１１へ出力する。
【００２２】
この切替要求を受けた指針駆動制御部１１は、この切替要求に含まれる指針識別情報を指針情報記憶部１８に記憶するともに、この指針識別情報に関係付けられている運針用駆動パルスの情報を駆動パルス記憶部１７から読み出す。そして、指針駆動制御部１１は、モータ駆動回路１２に対して、読み出した運針用駆動パルスの情報を出力する。これを受けて、モータ駆動回路１２は、指針駆動制御部１１から出力された運針用駆動パルスの情報に基づいて、モータ１３に対して出力するべき運針用駆動パルスの設定を行う。
【００２３】
次に、指針駆動制御部１１は、発振回路１６から出力される運針タイミング信号が出力される度に、モータ駆動回路１２に対して、運針用駆動パルスの出力指示を出力する。これを受けてモータ駆動回路１２は、先に設定された運針用駆動パルスをモータ１３に対して出力する。これによりモータ１３が回転して、新たに取り付けた指針２に適した運針用駆動パルスに基づいて指針２が運針することになる。
【００２４】
このように、交換された指針２に適した運針用駆動パルスを用いて、モータ１３の回転を制御するようにしたため、アナログ時計部１に取り付けられる指針２の針サイズに因らず、低電力で時計としての機能を維持させることができる。また、これによって、携帯情報機器３のデザイン性の幅が広がり、商品性を高めることができる。
【００２５】
＜第２の実施形態＞
次に、図２を参照して、本発明の第２の実施形態による電気式アナログ時計及びこの電気式アナログ時計を備えた携帯情報機器を説明する。図２は同実施形態の構成を示すブロック図である。図２において、図１に示す構成と同一の部分には同一の符号を付し、その説明を省略する。図２に示す構成が図１に示す構成と異なる点は、駆動パルス記憶部１７を携帯情報機器３側に駆動パルス記憶部３５として設け、携帯情報機器３が備える外部通信部３６を介して、新たな運針用駆動パルスの情報を外部から入手するようにした点である。
【００２６】
図２を参照して、指針２を交換した場合の処理動作を説明する。まず、使用者は、現在取り付けられている指針２を取り外し、新たな指針２を取り付ける。そして、キー入力部３２から、駆動パルス選択を行う操作を行い、新たに取り付けた指針の指針識別情報を入力する。駆動パルス選択部３３は、この入力された指針識別情報を内部に保持するとともに、制御部３１に対して、この指針識別情報を含む運針用駆動パルス切替要求を出力する。この切替要求を受けた制御部３１は、外部通信部３６を介して、外部（例えば、運針用駆動パルス情報を蓄えたサーバ等）から新たな運針用駆動パルス情報を入手する。そして、制御部３１は、入手した運針用駆動パルス情報と、キー入力部３２から入力された指針識別情報とを関係付けて、駆動パルス記憶部３５へ記憶する。続いて、制御部３１は、入手した新たな運針用駆動パルス情報と、指針識別情報とを含む切替要求を指針駆動制御部１１へ出力する。
【００２７】
この切替要求を受けた指針駆動制御部１１は、この切替要求に含まれる指針識別情報を指針情報記憶部１８に記憶するともに、この切替要求に含まれる新たな運針用駆動パルス情報をモータ駆動回路１２に対して出力する。これを受けて、モータ駆動回路１２は、指針駆動制御部１１から出力された運針用駆動パルスの情報に基づいて、モータ１３に対して出力するべき運針用駆動パルスの設定を行う。
【００２８】
次に、指針駆動制御部１１は、発振回路１６から出力される運針タイミング信号が出力される度に、モータ駆動回路１２に対して、運針用駆動パルスの出力指示を出力する。これを受けてモータ駆動回路１２は、先に設定された運針用駆動パルスをモータ１３に対して出力する。これによりモータ１３が回転して、新たに取り付けた指針２に適した運針用駆動パルスに基づいて指針２が運針することになる。
【００２９】
このように、交換された指針２に適した運針用駆動パルス情報を外部から入手するようにしたため、アナログ時計部１に取付可能な指針２のバリエーションを増やすことが可能となり、携帯情報機器３のデザイン性の幅が広がり、商品性を高めることができる。
【００３０】
＜第３の実施形態＞
次に、図３を参照して、本発明の第３の実施形態による電気式アナログ時計及びこの電気式アナログ時計を備えた携帯情報機器を説明する。図２は同実施形態の構成を示すブロック図である。図３において、図１に示す構成と同一の部分には同一の符号を付し、その説明を省略する。図３に示す構成が図１に示す構成と異なる点は、携帯情報機器３側に駆動パルス記憶部３５を設け、携帯情報機器３が備える外部通信部３６を介して、新たな運針用駆動パルスの情報を外部から入手するとともに、駆動パルス選択部３３に代えて、駆動パルス及びドライバ選択部３７を設けた点である。
【００３１】
図３を参照して、指針２を交換した場合の処理動作を説明する。図３に示すアナログ時計部１は、現在取り付けられている指針２の運針用駆動パルス情報が予め駆動パルス記憶部１７に記憶されているため、この運針用駆動パルスに基づいて運針制御が行われることになる。そして、所定期間使用後に、使用者は、現在取り付けられている指針２を取り外し、新たな指針２を取り付ける。そして、キー入力部３２から、駆動パルス選択を行う操作を行い、新たに取り付けた指針の指針識別情報を入力する。駆動パルス及びドライバ選択部３７は、この入力された指針識別情報を内部に保持するとともに、制御部３１に対して、この指針識別情報を含む運針用駆動パルス切替要求を出力する。
【００３２】
この切替要求を受けた制御部３１は、外部通信部３６を介して、外部（例えば、運針用駆動パルス情報を蓄えたサーバ等）から新たな運針用駆動パルス情報を入力する。そして、制御部３１は、入力した運針用駆動パルス情報と、キー入力部３２から入力された指針識別情報とを関係付けて、駆動パルス記憶部３５へ記憶する。続いて、制御部３１は、入力した新たな運針用駆動パルス情報と、指針識別情報とを含む切替要求を指針駆動制御部１１へ出力する。
【００３３】
この切替要求を受けた指針駆動制御部１１は、この切替要求に含まれる指針識別情報を指針情報記憶部１８に記憶するともに、駆動パルス記憶部１７に新たな運針用駆動パルス情報を追加記憶する。そして、指針駆動制御部１１は、新たなドライバ情報に基づいて、モータ駆動制御を行うとともに、新たな運針用駆動パルス情報をモータ駆動回路１２に対して出力する。このとき、携帯情報機器３内の電源３４の電力が切れてしまった場合、制御部３１で指針２を運針させることが不可能になってしまうことを避けるために、電源３４の電力残量が残りわずかになった時と制御部３１が判断した時には、駆動パルス及びドライバ選択部３７が、アナログ時計部１の指針駆動制御部１１をドライバとして選択する。これによって、携帯情報機器３が電池切れになったとしても、アナログ時計部１は運針を継続させることができる。これを受けて、モータ駆動回路１２は、指針駆動制御部１１から出力された運針用駆動パルスの情報に基づいて、モータ１３に対して出力するべき運針用駆動パルスの設定を行う。
【００３４】
次に、指針駆動制御部１１は、発振回路１６から出力される運針タイミング信号が出力される度に、モータ駆動回路１２に対して、運針用駆動パルスの出力指示を出力する。これを受けてモータ駆動回路１２は、先に設定された運針用駆動パルスをモータ１３に対して出力する。これによりモータ１３が回転して、新たに取り付けた指針２に適した運針用駆動パルスに基づいて指針２が運針することになる。
【００３５】
このように、交換された指針２に適した運針用駆動パルス情報とドライバ情報を外部から入手するようにしたため、新たに指針の形態を変えた指針２を取り付けて時計として機能させることができるようになるとともに、携帯情報機器３のデザイン性の幅が広がり、商品性を高めることができる。
【００３６】
次に、図４〜図６を参照して、図１〜図３に示す指針駆動制御部１１が、新たに取り付けられた指針２と設定されている運針用駆動パルスが適合しているか否かを自動的に判定する動作を説明する。図４は、図１〜図３に示す指針駆動制御部１１が、新たに取り付けられた指針２と設定されている運針用駆動パルスが適合しているか否かを自動的に判定する動作を示すフローチャートである。まず、図５〜図６を参照して、新たに取り付けられた指針２と設定されている運針用駆動パルスが適合しているか否かを自動的に判定する原理について説明する。図５は、大きい針装着時に大きい針用の運針駆動パルスを適用した時に、モータ１３のロータ回転後に生じる誘起電圧波形を示す図である。図６は、大きい針装着時に通常針用の運針駆動パルスを適用した時に、モータ１３のロータ回転後に生じる誘起電圧波形を示す図である。図６において、Ｐ１−１は、通常針用運針駆動パルスであり、図５において、Ｐ１−２は、大きい針用運針駆動パルスであり、各パルスのエネルギは、Ｐ１−２＞Ｐ１−１の関係を満たしている。また、Ｖｃｏｍｐは、検出電圧しきい値であり、Ｔ１は、所定の検出時間、ＶｍａｘはＴ１区間内において、Ｖｃｏｍｐを超えた最初の電圧である。
【００３７】
検出時間Ｔ１内において、Ｖｍａｘ＞Ｖｃｏｍｐを満たした場合に、モータ１３のロータは正常に回転できたと判定することができる。しかし、運針用駆動パルスと、装着した指針の針モーメントの組合せが適切でない場合、Ｖｍａｘが出力される時間帯が異なる。図６に示すように、図５に示すＰ１−２よりエネルギの小さいＰ１−１で駆動しているため、ロータの回転が遅くなり、Ｖｍａｘ発生時間が正常時より、後ろにシフトする現象が発生する。したがって、検出時間しきい値Ｔｃｏｍｐを設定し、検出時間しきい値Ｔｃｏｍｐ内にＶｍａｘが発生したか否かによって、モータ１３のロータが正常に回転したか否かを検出することができる。
【００３８】
図５に示す例では、Ｖｍａｘが、検出時間しきい値Ｔｃｏｍｐ内に発生しているが、図６に示す例では、Ｖｍａｘが、検出時間しきい値Ｔｃｏｍｐ内に発生していない。すなわち、図５に示す例では、正常にロータが回転したことを示しており、図６に示す例では、回転が異常であることを示している。したがって、大きい針装着時に大きい針用の運針駆動パルスを適用した時は、正常に回転していることを検出でき、新たに取り付けられた指針２と設定されている運針用駆動パルスが適合していると判定することができる。一方、大きい針装着時に通常針用の運針駆動パルスを適用した時は、回転が異常であることを検出でき、新たに取り付けられた指針２と設定されている運針用駆動パルスが適合していないと判定することができる。これにより、新たに取り付けられた指針２と設定されている運針用駆動パルスが適合しているか否かを自動的に判定することが可能となる。
【００３９】
次に、図４を参照して、前述した判定原理を使用して、指針駆動制御部１１が、新たに取り付けられた指針２と既に設定されている運針用駆動パルスが適合しているか否かを自動的に判定する動作を説明する。まず、指針駆動制御部１１は、モータ駆動回路１２に対して、運針用駆動パルス情報を出力して駆動パルスの設定を行う（ステップＳ１）。そして、指針駆動制御部１１は、発振回路１６が出力する運針タイミング信号に基づいて、運針の制御を行う（ステップＳ２）。このとき、指針駆動制御部１１は、検出時間Ｔ１の間に運針時の誘起電圧波形情報を取得する（ステップＳ３）。そして、指針駆動制御部１１は、取得した誘起電圧波形情報から最大誘起電圧Ｖｍａｘの発生時刻を求め（ステップＳ４）、求めたＶｍａｘ発生時刻が検出時間しきい値Ｔｃｏｍｐ内であるか否かを判定する（ステップＳ５）。
【００４０】
この判定の結果、求めたＶｍａｘ発生時刻が検出時間しきい値Ｔｃｏｍｐ内であれば、指針駆動制御部１１は、新たに取り付けられた指針２と既に設定されている運針用駆動パルスが適合していると見なして、運針制御を継続する（ステップＳ７）。一方、求めたＶｍａｘ発生時刻が検出時間しきい値Ｔｃｏｍｐ内でなければ、指針駆動制御部１１は、新たに取り付けられた指針２と既に設定されている運針用駆動パルスが適合していないと見なして、アラーム表示を行う（ステップＳ６）。このアラーム表示は、新たに取り付けられた指針と設定されている運針用駆動パルスが適合していないことを示すメッセージ情報を携帯情報機器３の制御部３１へ出力し、携帯情報機器３が備えている表示部（図示せず）に表示することにより行う。
【００４１】
このように、運針時の誘起電圧波形情報を取得し、取得した誘起電圧波形情報から最大誘起電圧Ｖｍａｘの発生時刻を求め、求めたＶｍａｘ発生時刻が検出時間しきい値Ｔｃｏｍｐ内であるか否かを判定することにより、新たに取り付けられた指針と設定されている運針用駆動パルスが適合しているか否かを自動的に判定することができるため、使用者が誤った指針識別情報を入力した場合などにアラーム表示を行うことができる。これにより、使用者に対して改めて運針用駆動パルスの設定操作を行うように促すことができる。
【００４２】
なお、図１において、アナログ時計部１は、必ずしも携帯情報機器３に埋め込まれている必要はない。例えば、図１に示すアナログ時計部１と図１に示すキー入力部３２、駆動パルス選択部３３、制御部３１と同等の機能を壁掛け式の電気式アナログ時計が備えていてもよい。このようにすることにより、壁掛け式時計を掛ける部屋の雰囲気に合わせて指針を選択して交換することが可能になる。
【００４３】
また、図１、２、３に示す指針駆動制御部１１及び制御部３１の機能を実現するためのプログラムをコンピュータ読み取り可能な記録媒体に記録して、この記録媒体に記録されたプログラムをコンピュータシステムに読み込ませ、実行することにより運針制御処理及び運針用駆動パルスの設定処理を行ってもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００４４】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【産業上の利用可能性】
【００４５】
本発明は、運針用駆動パルスによって、モータを駆動することにより機械式時計の指針を運針する電気式アナログ時計に適用可能である。
【符号の説明】
【００４６】
１・・・アナログ時計部、１１・・・指針駆動制御部、１２・・・モータ駆動回路、１３・・・モータ、１４・・・輪列、１５・・・電源、１６・・・発振回路、１７・・・駆動パルス記憶部、１８・・・指針情報記憶部、２・・・指針、３・・・携帯情報機器、３１・・・制御部、３２・・・キー入力部、３３・・・駆動パルス選択部、３４・・・電源、３５・・・駆動パルス記憶部、３６・・・外部通信部、３７・・・駆動パルス及びドライバ選択部
【図１】
2010261780.tif 000003
【図２】
2010261780.tif 000004
【図３】
2010261780.tif 000005
【図４】
2010261780.tif 000006
【図５】
2010261780.tif 000007
【図６】
2010261780.tif 000008